(57)【要約】【課題】かつらの製造方法及びかつらにおいて、複数のベースを備え装着者の頭部に合わせた形状のかつらを短期間で製造することができるようにする。【解決手段】かつらの製造方法は、かつらの全体に亘って配置される第１のベース及び第２のベースを備えるかつらを製造するかつらの製造方法であって、第１のベースに毛髪を植毛する工程（ステップＳ１：第１のベース植毛工程）と、曲面状に第２のベースを成形する工程（ステップＳ２：第２のベース成形工程）と、前記毛髪が植毛された前記第１のベースを、前記第２のベースに対し、該第２のベースの外側から固定する工程（ステップＳ４：ベース固定工程）と、を含む。【選択図】図１
2017172087.tif 000002
【特許請求の範囲】
【請求項１】
かつらの全体に亘って配置される第１のベース及び第２のベースを備えるかつらを製造するかつらの製造方法であって、
前記第１のベースに毛髪を植毛する工程と、
曲面状に前記第２のベースを成形する工程と、
前記毛髪が植毛された前記第１のベースを、前記第２のベースに対し、該第２のベースの外側から固定する工程と、
を含むことを特徴とするかつらの製造方法。
【請求項２】
前記第１のベースに前記毛髪を植毛する工程では、曲面状を呈する前記第１のベースに前記毛髪を植毛することを特徴とする請求項１記載のかつらの製造方法。
【請求項３】
曲面状に前記第２のベースを成形する工程では、前記かつらの装着者の頭部に合わせた形状の型上で前記第２のベースを成形することを特徴とする請求項１又は２記載のかつらの製造方法。
【請求項４】
前記第１のベースを前記第２のベースの外側から固定する工程では、前記第１のベースを、前記型上に位置する前記第２のベースの外側から固定することを特徴とする請求項３記載のかつらの製造方法。
【請求項５】
前記第１のベースは、ネット状ベースであり、
前記第２のベースは、合成樹脂材料を成形してなる人工皮膚ベースである、
ことを特徴とする請求項１から４のいずれか１項記載のかつらの製造方法。
【請求項６】
毛髪が植毛された第１のベースと、
前記第１のベースとは独立して曲面状に成形され、前記第１のベースが外側から固定された第２のベースと、
を備えることを特徴とするかつら。
【請求項７】
前記第１のベースは、ネット状ベースであり、
前記第２のベースは、合成樹脂材料を成形してなる人工皮膚ベースである、
ことを特徴とする請求項６記載のかつら。
【発明の詳細な説明】
【技術分野】
【０００１】
本発明は、複数のベースを備えるかつらの製造方法及びかつらに関する。
【背景技術】
【０００２】
従来、かつらは、ネット状ベースの網目に毛髪を植毛されてなるものや、かつら装着者の皮膚の色の合成樹脂材料を成形してなる人工皮膚ベースに毛髪を植毛されてなるものが知られている。
【０００３】
また、人工皮膚ベースの上に埋設させた状態のネット状ベースに毛髪を植毛されてなるかつらが提案されている（例えば、特許文献１参照）。
【先行技術文献】
【特許文献】
【０００４】
【特許文献１】実公昭４８−６９４５号公報
【発明の概要】
【発明が解決しようとする課題】
【０００５】
ところで、既製品ではないオーダーメイドのかつらを製造する場合、装着者の頭部に合わせた形状の型を用いて人工皮膚ベースやネット状ベースを成形するために、装着者の頭部と同じ形状又は近い形状となるように型を製造する工程或いは複数種類ある型の中から適した型を選択する工程が行われる。
【０００６】
そして、人工皮膚ベースやネット状ベースを上記の型を用いて成形した後に、毛髪を人工皮膚ベースやネット状ベースに植毛する工程が行われる。なお、毛髪が植毛された後に成形を行うと、成形時の熱によって毛髪が損傷を受けることになる。上記の植毛工程では、職人が１本１本毛髪を植毛することになるため、植毛工程に時間を要することで、かつらの製造を短期間で行うことができない。
【０００７】
本発明の目的は、装着者の頭部に合わせた形状のかつらを短期間で製造することができるかつらの製造方法及びかつらを提供することである。
【課題を解決するための手段】
【０００８】
１つの観点では、かつらの製造方法は、かつらの全体に亘って配置される第１のベース及び第２のベースを備えるかつらを製造するかつらの製造方法であって、前記第１のベースに毛髪を植毛する工程と、曲面状に前記第２のベースを成形する工程と、前記毛髪が植毛された前記第１のベースを、前記第２のベースに対し、該第２のベースの外側から固定する工程と、を含む。
【０００９】
また、前記かつらの製造方法において、前記第１のベースに前記毛髪を植毛する工程では、曲面状を呈する前記第１のベースに前記毛髪を植毛するとよい。
また、前記かつらの製造方法において、曲面状に前記第２のベースを成形する工程では、前記かつらの装着者の頭部に合わせた形状の型上で前記第２のベースを成形するとよい。
【００１０】
また、前記かつらの製造方法において、前記第１のベースを前記第２のベースの外側から固定する工程では、前記第１のベースを、前記型上に位置する前記第２のベースの外側から固定するとよい。
【００１１】
また、前記かつらの製造方法において、前記第１のベースは、ネット状ベースであり、前記第２のベースは、合成樹脂材料を成形してなる人工皮膚ベースであるとよい。
別の観点では、かつらは、毛髪が植毛された第１のベースと、前記第１のベースとは独立して曲面状に成形され、前記第１のベースが外側から固定された第２のベースと、を備える。
【００１２】
また、前記かつらにおいて、前記第１のベースは、ネット状ベースであり、前記第２のベースは、合成樹脂材料を成形してなる人工皮膚ベースであるとよい。
【発明の効果】
【００１３】
本発明によれば、装着者の頭部に合わせた形状のかつらを短期間で製造することができる。
【図面の簡単な説明】
【００１４】
【図１】本発明の一実施の形態に係るかつらの製造方法を説明するための工程図である。
【図２】（ａ）〜（ｅ）は、本発明の一実施の形態に係るかつらの製造方法を説明するための斜視図である。
【図３】本発明の一実施の形態に係るかつらの一部を示す断面図である。
【発明を実施するための形態】
【００１５】
以下、本発明の一実施の形態に係る、かつらの製造方法及びかつらについて、図面を参照しながら説明する。
図１は、本実施の形態に係るかつらの製造方法を説明するための工程図である。
【００１６】
図２（ａ）〜（ｅ）は、本実施の形態に係るかつらの製造方法を説明するための斜視図である。
まず、図２（ａ）に示すように、第１の型１０１上に位置する第１のベースの一例であるネット状ベース１０に対し、例えば鉤針１０３によって毛髪３０が植毛される（ステップＳ１：第１のベース植毛工程）。毛髪３０が植毛されたネット状ベース１０は、後述するベース固定工程Ｓ４において人工皮膚ベース２０に固定されるため、予めストックしておくとよい。
【００１７】
ネット状ベース１０は、予めかつらの装着者の頭部の形状のように曲面を有しているものが第１の型１０１に載置されるが、第１の型１０１上で、毛髪３０を植毛される前に曲面状に成形されてもよい。毛髪３０が植毛された後にネット状ベース１０を曲面状に成形すると、成形時の熱によって毛髪３０が損傷を受けることになることになる。また、ネット状ベース１０は、合成樹脂材料を成形してなる人工皮膚ベース２０の上に固定されるものであってかつらの装着者の頭皮には接触しないため、かつらの装着者の頭皮に接触する人工皮膚ベース２０ほど形状にこだわらなくともよい。例えば、平面状のネット状ベース１０に対して毛髪３０の植毛が行われ、この平面状のネット状ベース１０が人工皮膚ベース２０に固定されてもよい。
【００１８】
なお、毛髪３０が植毛される第１のベースとしては、ネット状ベース１０であることが望ましいが、人工皮膚ベースなどの他のベースであってもよい。また、毛髪３０は、例えば人工毛髪であるが、加工人毛などの人工毛髪以外の毛髪であってもよい。
【００１９】
次に、図２（ｂ）に示すように、第２の型１０２上に例えば容器１０４から、第２のベースの一例である人工皮膚ベース２０を構成するポリウレタン等の人工皮膚素材（合成樹脂材料）が供給され、この人工皮膚素材が乾燥することで、曲面状に人工皮膚ベース２０が成形される（ステップＳ２：第２のベース成形工程）。
【００２０】
第２の型１０２は、第１の型１０１と同一形状のものであってもよいが、かつらの装着者の頭部に合わせた形状を呈することが望ましい。このようにかつらの装着者の頭部に合わせた形状を呈する第２の型１０２は、かつらの装着者の頭部の形状に合うように個別に製造されてもよいし、或いは、複数種類ある型の中から適した型が選択されてもよい。
【００２１】
人工皮膚ベース２０の人工皮膚素材は、ポリウレタンに限らず、他の合成樹脂材料であってもよい。また、人工皮膚ベース２０は、かつらの装着者の皮膚の色に似た色を呈することが望ましい。また、曲面状に成形される第２のベースとしては、上述の人工皮膚ベースであることが望ましいが、ネット状ベースなどの他のベースであってもよい。第２のベースがネット状ベースである場合には、曲面状又は平面状のネットベースが第２の型１０２上で、かつらの装着者の頭部に合わせた形状に変形するように成形されるとよい。
【００２２】
なお、第２のベース成形工程Ｓ２は、第１のベース植毛工程Ｓ１と並列に行うことができるが、特に、第２の型１０２がかつらの装着者の頭部に合わせた形状に成形される場合には、第２の型１０２の製造又は選択など第２のベース成形工程Ｓ２に時間を要するため、第１のベース植毛工程Ｓ１が予め行われ、毛髪３０が植毛されたネット状ベース１０がストックされていることが望ましい。
【００２３】
次に、図２（ｃ）に示すように、曲面状に成形された人工皮膚ベース２０に対し、例えば刷毛１０５を用いて成型剤４０が塗布される（ステップＳ３：成型剤塗布工程）。
成型剤４０は、人工皮膚ベース２０の形状を保持するために塗布される公知の材料であればよいが、ネット状ベース１０と人工皮膚ベース２０とを貼り合わせるための接着層としても機能する。なお、後述するネット状ベース１０と人工皮膚ベース２０との貼り合わせのために、成型剤４０に代えて接着剤が塗布されてもよいし、或いは、成型剤４０が塗布された後に接着剤が塗布されてもよい。また、人工皮膚ベース２０が成型剤の塗布を要さずに形状が保持される場合には、成型剤塗布工程Ｓ３を省略することが可能である。
【００２４】
次に、毛髪３０が植毛されたネット状ベース１０が、成型剤４０を塗布された人工皮膚ベース２０に対し、この人工皮膚ベース２０の外側から貼り合わせる（ステップＳ４：ベース固定工程）。このベース固定工程Ｓ４は、製造期間を短縮する観点では、第２の型１０２上で成形された第２の型１０２がそのまま第２の型１０２から取り外されずに行われることが望ましい。なお、ネット状ベース１０と人工皮膚ベース２０とは、例えば縫い合わせにより固定されてもよく、固定方式は貼り合わせに限定されない。また、第２のベース成形工程Ｓ２における第２のベースの成形途中（例えば乾燥中）にネット状ベース１０が固定されてもよい。また、平面状の人工皮膚ベース２０が成形された上で、離型剤４０などを用いたベース固定工程Ｓ４において人工皮膚ベース２０が第２の型１０２上で曲面状に成形されてもよい。
【００２５】
ここで、人工皮膚ベース２０は、毛髪３０が植毛されていないために貼り合わせ後にカットしやすい。そのため、人工皮膚ベース２０は、かつらとして切り出されるサイズよりも大きく形成されている。また、ネット状ベース１０は、かつらの全体に亘るサイズか、或いは、後にカットされるために、かつらの全体に亘るサイズ以上のサイズに形成されている。
【００２６】
次に、成型剤４０によって貼り合わされたネット状ベース１０及び人工皮膚ベース２０は、第２の型１０２上で例えば図示しないピンなどによって固定された状態で、例えば１２時間乾燥される（ステップＳ５：乾燥工程）。なお、この乾燥工程は、ネット状ベース１０と人工皮膚ベース２０とが縫い合わせにより固定される場合などには省略可能である。
【００２７】
その後、成型剤４０によって貼り合わされたネット状ベース１０及び人工皮膚ベース２０が第２の型１０２から取り外される。また、この取り外しの前又は後に、かつらの全体に亘って配置されるサイズに合わせて人工皮膚ベース２０やネット状ベース１０が適宜カットされる。
【００２８】
図３は、本実施の形態に係るかつら１の一部を示す断面図である。
上述の各工程を経て製造されたかつら１では、図３に示すように、ネット状ベース１０が人工皮膚ベース２０の上に位置し、成型剤４０は、ネット状ベース１０と人工皮膚ベース２０とを貼り合わせるための接着層として機能する。かつら１の形状は任意であるが、例えば、装着者の頭部の全体に配置される全頭かつら、頭部の一部に配置される部分かつらなどである。
【００２９】
成型剤４０は、ネット状ベース１０の全体を覆い且つ毛髪３０の結び目３１を覆うことで、ネット状ベース１０や結び目３１が外部に露出しかつら１の外観が不自然になることを防ぐことができるとともに、結び目３１が解けて毛髪３０の向きが所望の向きに向かなくなりかつら１の外観が不自然になることを防ぐことができる。そのため、成型剤４０は、ネット状ベース１０及び結び目３１の全体を覆うことが望ましいが、ネット状ベース１０の一部のみ或いは結び目３１の一部のみを覆うものであってもよい。
【００３０】
なお、人工皮膚ベース２０は、ネット状ベース１０とは独立して曲面状に成形されているため、人工皮膚ベース２０とネット状ベース１０とで曲面形状が一致しない場合、すなわち第１の型１０１と第２の型１０２とが同一形状でない場合には、貼り合わせ時にネット状ベース１０が人工皮膚ベース２０の形状に合わせて伸縮した形跡或いはシワが生じた形跡を認識することができる。
【００３１】
ここで、図３では、１本の毛髪３０がＶ字状にネット状ベース１０に植毛されているため２本あるように図示されている。また、図３では、１本の毛髪３０のみが図示されるが、実際には、ネット状ベース１０にはより多くの毛髪３０が植毛される。
【００３２】
以上説明した本実施の形態では、かつらの製造方法は、第１のベースの一例であるネット状ベース１０に毛髪３０を植毛する工程（ステップＳ１：第１のベース植毛工程）と、曲面状に第２のベースの一例である人工皮膚ベース２０を成形する工程（ステップＳ２：第２のベース成形工程）と、毛髪３０が植毛されたネット状ベース１０を、曲面状に成形された人工皮膚ベース２０に対し、この人工皮膚ベース２０の外側から固定する工程（ステップＳ４：ベース固定工程）と、を含む。
【００３３】
そのため、曲面状に人工皮膚ベース２０を成形する工程Ｓ２と並行して或いは予め、ネット状ベース１０に毛髪３０を植毛する工程Ｓ１を行うことができる。このように、毛髪３０の植毛後に人工皮膚ベース２０が成形される場合に成形時の熱に起因して生じる毛髪３０の損傷を回避することができるとともに、人工皮膚ベース２０が成形された後で毛髪３０を植毛するのを回避することもできる。これにより、毛髪３０の植毛作業に時間を要することに伴ってかつら１の製造時間が増加するのを防ぐことができる。よって、本実施の形態によれば、装着者の頭部に合わせた形状のかつら１を、短期間で製造することができる。
【００３４】
また、本実施の形態では、ネット状ベース１０に毛髪３０が植毛される工程Ｓ１において、曲面状を呈するネット状ベース１０に毛髪３０が植毛される。そのため、ネット状ベース１０が人工皮膚ベース２０に貼り合わされなどにより固定されるベース固定工程Ｓ４においてネット状ベース１０が伸縮したり或いはシワが生じたりするのを防ぐことができる。更には、曲面状のネット状ベース１０は、平面状のネット状ベースよりも、人工皮膚ベース２０に対する固定を容易に行うことができるため、より一層短期間でかつら１を製造することもできる。
【００３５】
また、本実施の形態では、曲面状に人工皮膚ベース２０が成形される第２のベース成形工程Ｓ２において、かつら１の装着者の頭部に合わせた形状の型である第２の型１０２上で人工皮膚ベース２０が成形される。そのため、かつら１の所望の形状に合わせて人工皮膚ベース２０を製造することができる。
【００３６】
また、本実施の形態では、ネット状ベース１０が第２のベース２０の外側から固定されるベース固定工程Ｓ４において、ネット状ベース１０が、第２の型１０２上に位置する人工皮膚ベース２０の外側から固定される。これにより、第２の型１０２上で成形された状態のまま第２の型１０２から取り外される前の人工皮膚ベース２０にネット状ベース１０を固定することができるため、より一層短期間でかつら１を製造することができる。
【００３７】
また、本実施の形態では、毛髪３０が植毛される第１のベースの一例がネット状ベース１０であり、曲面状に成形される第２のベースの一例が合成樹脂材料を成形してなる人工皮膚ベース２０である。これにより、ネット状ベース１０は人工皮膚ベース２０よりも毛髪３０の植毛を容易に行うことができ、また、人工皮膚ベース２０はネット状ベース１０よりも容易に曲面状への成形を行うことができるため、より一層短期間でかつら１を製造することができる。更には、かつら１が人工皮膚ベース２０を備えることで、かつら１の外観を自然にすることができる。
【符号の説明】
【００３８】
１      かつら
１０      ネット状ベース（第１のベース）
２０      人工皮膚ベース（第２のベース）
３０      毛髪
３１      結び目
４０      成型剤（接着層）
１０１  第１の型
１０２  第２の型
１０３  鉤針
１０４  容器
１０５  刷毛
【図１】
2017172087.tif 000003
【図２】
2017172087.tif 000004
【図３】
2017172087.tif 000005